(57)【要約】【課題】門扉の戸当側部分の高さを任意に調整できるようにして戸当部分の見栄えを良くできると共に、錠と錠受けを用いて確実に施錠できる門とする。【解決手段】設置面に沿って閉じ状態と開き状態に亘って移動する門扉を備えた門において、その門扉の戸当側端部材１２を、内側部材１２ａに外側部材１２ｂを高さ調整自在に取付けたものとし、その外側部材１２ｂの高さを調整することで門扉の戸当側部分の高さを任意に調整して戸当側部分の見栄えを良くできると共に、錠と錠受けの高さを合わせて確実に施錠できるようにする。【選択図】図２
2010236235.tif 000002
【特許請求の範囲】
【請求項１】
設置面に沿って閉じ状態と開き状態とに亘って移動自在な門扉を備えた門であって、
前記門扉の戸当側端部材は、車輪を備えた内側部材と、この内側部材に高さ調整自在に取付けた外側部材を有することを特徴とする門。
【請求項２】
設置面に沿って閉じ状態と開き状態とに亘って移動自在な左側の門扉と右側の門扉を備え、前記左側の門扉の戸当側端部材と右側の門扉の戸当側端部材が突き合うことで出入口を閉じる両開きの門であって、
前記少なくとも一方の戸当側端部材は、車輪を備えた内側部材と、この内側部材に高さ調整自在に取付けた外側部材を有し、
前記一方の戸当側端部材の外側部材に錠受け又は錠を取付け、他方の戸当側端部材に錠又は錠受けを取付け、
前記錠受けと錠を係合、離脱して施錠、解錠するようにしたことを特徴とする門。
【請求項３】
前記内側部材と外側部材の一方に上下方向の長孔を形成し、この長孔を挿通したねじを、前記内側部材と外側部材の他方に螺合して内側部材に外側部材を高さ調整自在に取付けた請求項１又は２記載の門。
【請求項４】
前記門扉を、吊元側端部材と複数の縦桟と戸当側端部材をパンタグラフ機構で伸縮自在に連結した伸縮門扉とした請求項１又は２又は３記載の門。
【請求項５】
前記戸当側端部材は、車輪と前後一対の縦材を有した内側部材と、この一対の縦材に亘って高さ調整自在に取付けた外側部材を備え、
前記パンタグラフ機構の端部を、前記一対の縦材間に、その縦材側に張り出すことがないように連結し、
前記縦材からねじを、上下方向の長孔を通して外側部材に螺合することで、外側部材を内側部材に高さ調整自在に取付けた請求項４記載の門。
【発明の詳細な説明】
【技術分野】
【０００１】
本発明は、設置面に沿って閉じ状態と開き状態とに亘って移動し、出入口を開閉する門扉を備えた門に関する。
【背景技術】
【０００２】
従来、設置面に沿って閉じ状態と開き状態とに亘って移動する門扉によって出入口を開閉する門が種々提案されている。
例えば、特許文献１に開示したように、複数の縦桟をパンタグラフ機構で伸縮可能に連結し、その吊元側の端部縦桟に吊元側端枠を取付け、戸当側の端部縦桟に戸当側端枠を取付けると共に、車輪を取付けて伸縮門扉とし、設置面に設置した吊元側支柱に吊元側端枠を取付け、前記設置面に沿って戸当側端枠を移動して戸当側支柱に接して閉じ状態とするようにした門が提案されている。
【先行技術文献】
【特許文献】
【０００３】
【特許文献１】実開平６−５８０９６号公報
【発明の概要】
【発明が解決しようとする課題】
【０００４】
前述した門においては、設置面に設置した戸当側支柱の高さのばらつきがある場合や、傾斜した設置面に設置する門の場合に、戸当側端枠と戸当側支柱の高さがずれて戸当部分の見栄えが悪くなることがあるし、錠と錠受けを戸当側端枠と戸当側支柱に取付けて施錠する場合に、その錠と錠受けの高さがずれて施錠できないことがある。
【０００５】
前述した伸縮門扉を左側と右側に設け、左側の伸縮門扉の吊元側端枠を左側の支柱に取付け、右側の伸縮門扉の吊元側端枠を右側の支柱に取付けると共に、左右側の伸縮門扉の戸当側端枠を突き合わせるようにした両開きの門とした場合に、設置面が水平に対して左右方向に傾斜した傾斜面であると、引用文献１の図１４に示すように、左側の伸縮門扉の戸当側端枠の高さと右側の伸縮門扉の戸当側端枠の高さが異なり、段差ができるので、左側の伸縮門扉と右側の伸縮門扉の突き合せ部の見栄えが悪くなる。
また、左右一方側の伸縮門扉の戸当側端枠に鍵を取付け、左右他方側の伸縮門扉の戸当側端枠に錠受けを取付けて施錠するようにした場合には、その錠の高さと錠受けの高さが異なり、施錠できないことがある。
【０００６】
前述した課題は、伸縮門扉に限らず門扉全体を設置面に沿って閉じ状態と開き状態とに亘って移動する門扉の場合も同様に生ずる。
【０００７】
本発明の目的は、門扉の戸当側部分の高さを任意に調整できるようにして、戸当側支柱の高さのばらつきがある場合や、傾斜した設置面に設置した場合に戸当部分の見栄えを良くできると共に、錠と錠受けを取付けて施錠する場合に、確実に施錠でき、傾斜した設置面に設置した両開きの門の場合に、突き合せ部の見栄えを良くできると共に、錠と錠受けを用いて確実に施錠できるようにした門とすることである。
【課題を解決するための手段】
【０００８】
本発明は、設置面に沿って閉じ状態と開き状態とに亘って移動自在な門扉を備えた門であって、
前記門扉の戸当側端部材は、車輪を備えた内側部材と、この内側部材に高さ調整自在に取付けた外側部材を有することを特徴とする門である。
【０００９】
本発明の門は、設置面に沿って閉じ状態と開き状態とに亘って移動自在な左側の門扉と右側の門扉を備え、前記左側の門扉の戸当側端部材と右側の門扉の戸当側端部材が突き合うことで出入口を閉じる両開きの門であって、
前記少なくとも一方の戸当側端部材は、車輪を備えた内側部材と、この内側部材に高さ調整自在に取付けた外側部材を有し、
前記一方の戸当側端部材の外側部材に錠受け又は錠を取付け、他方の戸当側端部材に錠又は錠受けを取付け、
前記錠受けと錠を係合、離脱して施錠、解錠するようにしたことを特徴とする門とすることができる。
【００１０】
前述した両開きの門であれば、水平に対して傾斜した設置面に設置した場合に、左側の門扉の外側部材と右側の門扉の外側部材を同一高さとして突き合せ部の見栄えを良くすることができる。
しかも、水平に対して傾斜した設置面に設置した場合に、左側の門扉の外側部材と右側の門扉の外側部材の高さを調整して錠と錠受けの高さを合わせることができるので、錠と錠受けを係合して確実に施錠することができる。
【００１１】
本発明においては、前記内側部材と外側部材の一方に上下方向の長孔を形成し、この長孔を挿通したねじを、前記内側部材と外側部材の他方に螺合して内側部材に外側部材を高さ調整自在に取付けることができる。
このようにすれば、ねじを弛めて外側部材を上下に移動して所定の高さとし、再びねじを締め付けることで、外側部材の高さを簡単に調整できる。
【００１２】
本発明においては、前記門扉を、吊元側端部材と複数の縦桟と戸当側端部材をパンタグラフ機構で伸縮自在に連結した伸縮門扉とすることができる。
このようにすれば、水平に対して傾斜した設置面に設置した場合に、吊元側端部材、縦桟、戸当側端部材を水平に対して直角とすることができる。
【００１３】
本発明においては、前記戸当側端部材は、車輪と前後一対の縦材を有した内側部材と、この一対の縦材に亘って高さ調整自在に取付けた外側部材を備え、
前記パンタグラフ機構の端部を、前記一対の縦材間に、その縦材側に張り出すことがないように連結し、
前記縦材からねじを、上下方向の長孔を通して外側部材に螺合することで、外側部材を内側部材に高さ調整自在に取付けることができる。
このようにすれば、ねじを弛めることで外側部材を内側部材に対して上下に移動し、そのねじを再び締め付けることで、外側部材の高さを調整できる。
しかも、前記ねじを弛め、締め付け操作する工具が、パンタグラフ機構と干渉することがないので、外側部材の高さ調整作業が簡単である。
【発明の効果】
【００１４】
本発明によれば、門扉の戸当側端部材における設置面に沿って移動する内側部材に対して外側部材の高さを調整して門扉の戸当側部分の高さを任意に調整できるので、設置面が傾斜している場合でも外側部材を所定の高さとすることができるし、前記外側部材を設置面に設置した戸当側支柱の高さに応じた高さとすることができる。
したがって、設置面に設置した戸当側支柱に高さのばらつきがある場合や、傾斜した設置面に設置する門の場合に、戸当側端部材の外側部材と、その設置面に設置した戸当側支柱を同一高さとして見栄えを良くしたり、その外側部材と戸当側支柱に取付けた錠と錠受けの高さを合わせて確実に施錠できる。
また、左右側に門扉を設けた両開きの門を傾斜した設置面に設置した場合に、左右側の門扉の戸当側端部材の突き合せ部の見栄えを良くできるし、錠と錠受けの高さを合わせて確実に施錠できる。
【図面の簡単な説明】
【００１５】
【図１】伸縮門扉を用いた両開きの門の正面図である。
【図２】突き合せ部の見栄えを良くした状態の正面図である。
【図３】一対の戸当側端部材の拡大正面図である。
【図４】一方の戸当側端部材の側面図である。
【図５】図３の拡大横断面図である。
【発明を実施するための形態】
【００１６】
図１に示すように、左側の支柱（吊元側支柱）１と右側の支柱（吊元側支柱）２と左側の門扉３と右側の門扉４とで両開きの門としてある。
前記左側の門扉３、右側の門扉４は、吊元側端部材１０と複数の縦桟１１と戸当側端部材１２を上下のパンタグラフ機構１３で左右方向に伸縮可能に連結した伸縮門扉である。
前記左側の門扉３の吊元側端部材１０を左側の支柱１に取付けて戸当側端部材１２を設置面ａに沿って閉じ状態と開き状態に亘って移動自在としてある。
右側の門扉４の吊元側端部材１０を右側の支柱２に取付けて戸当側端部材１２を設置面ａに沿って閉じ状態と開き状態に亘って移動自在としてある。
左右側の門扉３，４を閉じ状態とすることで、その戸当側端部材１２相互を突き合わせて出入口を閉じるようにしてある。
【００１７】
前記戸当側端部材１２は、内側部材１２ａと外側部材１２ｂを備え、その内側部材１２ａに前記パンタグラフ機構１３が連結してあると共に、車輪１４が取付けてある。
前記外側部材１２ｂは内側部材１２ａに高さ調整自在に取付けてある。
例えば、内側部材１２ａと外側部材１２ｂの一方に上下方向の長孔を形成し、その長孔を通してねじを内側部材１２ａと外側部材１２ｂの他方に螺合し、そのねじを弛めることで外側部材１２ｂを上下に移動して高さ調整自在とする。
この外側部材１２ｂは、内側部材１２ａよりも門扉伸縮方向の伸び側、つまり閉じ側に位置し、左右側の門扉３，４を閉じたときに外側部材１２ｂ相互が突き合うようにしてある。
そして、左右一方の外側部材１２ｂと左右他方の外側部材１２ｂに錠と錠受けが対向してそれぞれ取付けてある。
【００１８】
このようであるから、水平に対して左右方向に傾斜した設置面ａに設置した場合には、図１に示すように左側の門扉３の車輪１４と右側の門扉４の車輪１４の接地点の高さが異なり、左側の門扉３の戸当側端部材１２の高さと右側の門扉３の戸当側端部材１２の高さが異なり、段差ができる。
図１においては、設置面ａが、右側が左側よりも高くなるように右上りに傾斜しているので、右側の門扉４の戸当側端部材１２が高く、左側の門扉３の戸当側端部材１２が低くなっている。なお、伸縮門扉であるから、吊元側端部材１０、縦桟１１、戸当側端部材１２は水平に対して直角とすることができる。
【００１９】
このような場合には、戸当側端部材１２の内側部材１２ａに対して外側部材１２ｂを上下に移動して高さ調整し、図２に示すように左右の戸当側端部材１２の外側部材１２ｂの高さを合わせる。
これによって、両開き門の突き合せ部の見栄えを良くできる。
前述の外側部材１２ｂの高さを合わせる動作は、左右側一方の戸当側端部材１２の外側部材１２ｂを上下に移動するようにしても良いし、左右両方の戸当側端部材１２の外側部材１２ｂをそれぞれ上下に移動しても良い。
【００２０】
図１、図２においては、戸当側端部材１２における内側部材１２ａの外観上の左右寸法よりも外側部材１２ｂの外観上の左右寸法が大きく、戸当側端部材１２の外観は外側部材１２ｂによって決定されるようにしてあるので、左右の戸当側端部材１２における内側部材１２ａの高さが異なっても突き合せ部の見栄えを良くできる。
前述の外観上の左右寸法とは、内側部材１２ａ、外側部材１２ｂにおける外部から見える部分の左右寸法である。
【００２１】
また、前述のように一方の戸当側端部材１２の外側部材１２ｂと他方の戸当側端部材１２の外側部材１２ｂとに、相対向して取付けた錠と錠受けの高さが異なる場合には、前述のように外側部材１２ｂの高さを調整することで、錠と錠受けの高さを合わせることができるので、傾斜した設置面ａに設置した場合でも錠と錠受けの高さを合わせて確実に施錠することができる。
【００２２】
前述のように、左側の門扉３の戸当側端部材１２と右側の門扉４の戸当側端部材１２を、それぞれ高さ調整可能な外側部材１２ｂを有する形状とすれば、突き合わせ部での高さの差が大きくとも高さを合わせることができる。
なお、左側の門扉３と右側の門扉４のどちらか一方の門扉の戸当側端部材１２を前述のように、内側部材１２ａに外側部材１２ｂを高さ調整可能に取付けたものとし、残りの門扉の戸当側端部材１２を内側部材１２ａと外側部材１２ｂが一体となったものとしても良い。
【００２３】
次に、各部材の具体形状を図３〜図５に基づいて説明する。
前記左右の戸当側端部材１２における内側部材１２ａは、左右方向と直角な前後方向に向かう下横材２０と、この下横材２０に、前後方向に離隔して立設した前後一対の縦材２１と、この一対の縦材２１の上部間に亘って嵌合して取付けた上キャップ２２を備え、その下横材２０に車輪１４、例えばキャスタ車輪が取付けてある。
前記一対の縦材２１は、左右方向に対向した一側縦板２１ａ、他側縦板２１ｂと、前後方向に対向した一端縦板２１ｃ、他側縦板２１ｄを有した中空形状で、その一側縦板２１ａが左右方向における外側（吊元側と反対側）に位置し、他側縦板２１ｂが左右方向における内側（吊元側）に位置している。
前記一側縦板２１ａと他側縦板２１ｂとの間の寸法が前述の内側部材１２ａの外観上の左右寸法である。
【００２４】
前記パンタグラフ機構１３の端部は、前記一対の縦材２１における前後方向に対向した他端縦板２１ｄに上下回動可能に連結され、このパンタグラフ機構１３は一対の縦材２１間に位置している。なお、前述のパンタグラフ機構１３の連結部の構造は図示を省略してある。
【００２５】
前記左右の戸当側端部材１２における外側部材１２ｂは、前後方向に向かう一側縦板３０と、この一側縦板３０の前後端と連続して左右方向の内側に向かう前後一対の端部縦板３１と、この各端部縦板３１の内側端と連続し前後方向に向かう前後一対の他側縦板３２を有した断面ほぼコ字形状である。
前記一側縦板３０と他側縦板３２との間の寸法が前述の外側部材１２ｂの外観上の左右寸法である。
【００２６】
前記一対の縦材２１の一側縦板２１ａに外側部材１２ｂの他側縦板３２が上下移動可能にそれぞれ連結してある。
例えば、前記縦材２１の一側縦板２１ａにねじ挿通孔２３、他側縦板２１ｂにねじ挿入孔２４を対向して形成する。前記外側部材１２ｂの他側縦板３２に上下の長孔３３を形成すると共に、その他側縦板３２にナット部材３４を設ける。
そして、ねじ３５を前記ねじ挿入孔２４から縦材２１の中空部内に挿入し、そのねじ３５をねじ挿通孔２３、長孔３３を通してナット部材３４に螺合して一対の縦材２１に一対の他側縦板３２を連結する。
【００２７】
前記ねじ３５の長さは、縦材２１の一側縦板２１ａと他側縦板２１ｂとの間の寸法よりも長く、そのねじ３５の先端部がナット部材３４に螺合した状態で、頭部３５ａが他側縦板２１ｂよりも内側に位置するようにしてある。
このようにすることで、ねじ３５をナット部材３４に螺合する操作がやり易い。
なお、外側部材１２ｂの他部縦板３１は内向片３１ａが有し、この内向片３１ａに上下方向の長孔３１ｂを形成し、この長孔３１ｂにねじ３５の先端部分が挿通するようにしてある。
【００２８】
このようであるから、ねじ３５を弛めることで他側縦板３２を長孔３３に沿って上下に移動し、再びねじ３５を締め付けることで内側縦板１２ａに対して外側部材１２ｂを上下に移動して高さ調整できる。
しかも、ねじ３５の頭部３５ａが縦材２１の中空部内に位置して外部から見えないので、見栄えが良い。
前記ねじ挿入孔２４にはキャップ２５が着脱自在に取付けてある。
【００２９】
前述の実施の形態では、外側部材１２ｂの他側縦板３２に長孔３３を形成したが、内側部材１２ａに上下方向の長孔を形成しても良い。
例えば、ねじ挿通孔２３、ねじ挿入孔２４を上下方向の長孔とする。
【００３０】
前記パンタグラフ機構１３の端部は一対の縦材２１間に位置し、そのパンタグラフ機構１３は一対の縦材２１に向けて張り出していないので、前述のねじ３５を締め付け、弛め操作する工具がパンタグラフ機構１３と干渉することがなく、左右方向の内側からねじ３５を用いて外側部材１２ｂを内側部材１２ａに連結でき、その操作が容易である。
【００３１】
前記左右一方の外側部材１２ｂにおける一側縦板３０に錠４０が取付けてある。
この錠４０は、開閉する上下一対の錠杆４１を有し、その錠杆４１は閉じ状態に保持され、かつ外側部材１２ｂの各端部縦板３１に取付けたハンドル４２によって開放作動する。
前記左右他方の外側部材１２ｂにおける一側縦板３０に錠受け５０が取付けてある。
この錠受け５０は、前記一対の錠杆４１が係合、離脱する受け部５１を有し、この錠受け５０と錠杆４１が当接することで一対の錠杆４１が錠受け５０の受け部５１に係合して施錠状態となる。
前記一対の錠杆４１は、外側部材１２ｂの一側縦板３０に形成した開口部３０ｂに入り込むことで、錠杆４１が一側縦板３０に干渉しないようにしてある。
【００３２】
前記ハンドル４２を操作して一対の錠杆４１を開放することで受け部５１から離脱し、解錠状態とすることができる。
前記錠４０と錠受け５０は前述の形状に限ることはなく、従来から用いられている形状の錠、錠受けを用いることができる。
図５において、外側部材１２ｂの一側縦板３０には引寄せ片６０が取付けてあり、この引寄せ片６０が一側縦板３０の段差部３０ａに接して左右の外側部材１２ｂが正しく突き合うようにしてある。
【００３３】
前記内側部材１２ａと外側部材１２ｂの連結は、前述の連結に限ることはない。
例えば、縦材２１の他側縦板２１ｂを、外側部材１２ｂの他側縦板３２の一側面に接し、その他側縦板３２の孔からねじを縦材２１に設けたナット部材に螺合して連結する。
【００３４】
前述の実施の形態では傾斜した設置面ａに設置した両開きの門としたが、水平な設置面に設置した両開きの門としても良い。
また、両開きの門ではなく、１つの門扉を吊元側支柱と戸当側支柱との間に設けた門としても良い。
この場合には、戸当側支柱に高さのばらつきがある場合には、その戸当側支柱の高さに応じて外側部材１２ｂの高さを調整して戸当部分の見栄えを良くする。
また、傾斜した設置面に設置する場合には、その設置面の傾斜角度に応じて外側部材１２ｂの高さを調整して戸当部分の見栄えを良くする。
前述の場合には、戸当側端部材１２の外側部材１２ｂに錠、又は錠受けを取付け、戸当側支柱に錠受け、又は錠を取付けて施錠できるようにする。
【００３５】
前述の実施の形態では伸縮門扉としたが、矩形状の門扉枠体に、縦・横格子又はパネル、網体などを取付けた門扉でも良いし、パネル体のみより成る門扉でも良い。
前者の門扉の場合には、門扉枠体を形成する一方の枠体を前述した戸当側端部材とすれば良い。
後者の門扉の場合には、パネル体の戸当側の縦縁部に戸当縦材を高さ調整自在に設け、その戸当側の縦縁部と戸当縦材で戸当側端部材とすれば良い。
【符号の説明】
【００３６】
１…支柱、２…支柱、３…左側の門扉、４…右側の門扉、１０…吊元側端部材、１１…縦桟、１２…戸当側端部材、１３…パンタブラフ機構、１４…車輪、２０…横部材、２１…縦材、２３…上下の長孔、３４…ナット、３５…ねじ、４０…錠、５０…錠受け。
【図１】
2010236235.tif 000003
【図２】
2010236235.tif 000004
【図３】
2010236235.tif 000005
【図４】
2010236235.tif 000006
【図５】
2010236235.tif 000007